(57)【特許請求の範囲】
【請求項１】
浴槽内の配置される槽内突出部と、浴槽外に配置されるボディとを備え、前記槽内突出部は、浴槽内に湯水を吐出する吐出口と、浴槽内の湯水を吸い込む吸込口と、マイクロバブルが混入された湯水であるマイクロバブル水を浴槽内に噴出する噴出口とを有し、前記ボディは、前記吐出口、前記吸込口および前記噴出口にそれぞれ対応しかつ外部の配管をそれぞれ接続可能な第１〜第３管用継手を有する浴槽用給湯アダプターであって、
前記第１〜前記第３管用継手の基端側が、前記ボディの軸心に対し直交する方向の回転軸回りにそれぞれ回転自在に取り付けられて、前記第１〜前記第３管用継手が前記ボディに対し任意の回転角度に配置可能に構成される一方、
前記ボディは、ボディ本体と、前記第１〜前記第３管用継手とで構成され、
前記第１および前記第２管用継手は前記ボディ本体に設けられた第１および第２接続口に取り付けられるとともに、前記第３管用継手は前記ボディ本体に軸部材を介して回転自在に取り付けられ、
前記第１管用継手の回転軸と前記第２管用継手の回転軸とが一致するように配置され、
前記第３管用継手の軸心は、前記第１および前記第２接続口の開口領域内に対応して配置されていることを特徴とする浴槽用給湯アダプター。
【請求項２】
前記第１および前記第２接続口が前記ボディ本体の軸心に対し直交する方向に向けて開口するとともに、その第１および第２接続口の少なくともいずれか一方の接続口を介して前記軸部材が前記ボディ本体に組み付けられるように構成されている請求項１に記載の浴槽用給湯アダプター。
【請求項３】
前記第１管用継手は、外部の給湯機から前記ボディに湯水を供給する往き管を接続する往き管用継手として構成され、前記第２管用継手は、前記ボディから湯水を外部の給湯機に戻す戻り管用継手として構成され、前記第３管用継手は、外部からエアーを前記ボディに導入する吸気管用継手として構成されている請求項１または２に記載の浴槽用給湯アダプター。
【発明の詳細な説明】
【技術分野】
【０００１】
この発明は、マイクロバブル等の微細気泡を発生する機構が組み込まれた浴槽用給湯アダプターに関する。
【背景技術】
【０００２】
近年一般家庭等においても、温浴効果、マッサージ効果、ダイエット効果等の向上を目的として、浴槽内の湯水に直径数十μｍ以下の微細気泡であるマイクロバブル（ナノバブルも含む）を発生させて入浴できるような入浴設備を採用することがある。
【０００３】
浴槽内にマクロバブルを発生させる装置としては例えば、特許文献１，２等に示すマイクロバブル供給機能付き給湯アダプターが周知である。
【０００４】
このような給湯アダプターは、浴槽側壁に貫通状態に組み付けられ、浴槽内に突出する部分（槽内突出部）を備えている。この槽内突出部には、湯水を吐出する吐出口と、湯水を吸い込む吸込口と、マイクロバブルが混入された湯水（マイクロバブル水）を噴出する噴出口とが設けられている。また給湯アダプターの浴槽外に組み付けられる部材（ボディ）には、往き管用継手部、戻り管用継手部、吸気管用継手部が設けられており、往き管用継手部に給湯機から湯水を給湯アダプターに供給するための往き管が接続され、戻り管用継手部に給湯アダプターから湯水を給湯機に戻すための戻り管が接続され、吸気管用継手部に給湯アダプターにエアーを供給するための吸気管が接続されている。そしてバブル発生時には、浴槽内の湯水が吸込口から給湯アダプターに吸い込まれて戻り管を介して給湯機に戻される一方、給湯機から往き管を介して給湯アダプター内に供給された湯水に、吸気管を介して給湯アダプター内に吸い込まれたエアーが混入されてその気泡混入水（マイクロバブル水）が噴出口から浴槽内に噴出されるようになっている。
【先行技術文献】
【特許文献】
【０００５】
【特許文献１】特開２０１０−１６４２７５号公報
【特許文献２】特開２０１０−２０７６７８号公報
【発明の開示】
【発明が解決しようとする課題】
【０００６】
ところで上記特許文献１，２等に示す従来のバブル発生機能付きの給湯アダプターにおいて、ボディに接続される往き管、戻り管および吸気管等の外管の引出方向、つまりボディに対する外管の接続方向が制限されていると、組付現場のアダプター組付スペースに外管を収まり良く配置するのが困難になり、場合によっては外管を大きく曲成させて配置する必要があり、外管に必要以上の多大な負荷が加わって耐久性が低下するとともに、配管敷設作業、ひいては給湯アダプターの組付作業が困難になるという課題が発生する。
【０００７】
この発明は、上記の課題に鑑みてなされたものであり、外管を無理なく収まりの良い状態に敷設でき、外管敷設作業、ひいては組付作業を簡単かつスムーズに行うことができる浴槽用給湯アダプターを提供することを目的とする。
【課題を解決するための手段】
【０００８】
上記目的を達成するため、本発明は以下の構成を要旨とするものである。
【０００９】
［１］浴槽内の配置される槽内突出部と、浴槽外に配置されるボディとを備え、前記槽内突出部は、浴槽内に湯水を吐出する吐出口と、浴槽内の湯水を吸い込む吸込口と、マイクロバブルが混入された湯水であるマイクロバブル水を浴槽内に噴出する噴出口とを有し、前記ボディは、前記吐出口、前記吸込口および前記噴出口にそれぞれ対応しかつ外部の配管をそれぞれ接続可能な第１〜第３管用継手を有する浴槽用給湯アダプターであって、
前記第１〜前記第３管用継手の基端側が、前記ボディの軸心に対し直交する方向の回転軸回りにそれぞれ回転自在に取り付けられて、前記第１〜前記第３管用継手が前記ボディに対し任意の回転角度に配置可能に構成されていることを特徴とする浴槽用給湯アダプター。
【００１０】
［２］前記第１〜前記第３管用継手の各回転軸がほぼ一致するように配置されている前項１に記載の浴槽用給湯アダプター。
【００１１】
［３］前記ボディは、ボディ本体と、前記第１〜前記第３管用継手とで構成され、
前記第１および前記第２管用継手は前記ボディ本体に設けられた第１および第２接続口に取り付けられるとともに、前記第３管用継手は前記ボディ本体に軸部材を介して回転自在に取り付けられ、
前記第１および前記第２接続口が前記ボディ本体の軸心に対し直交する方向に向けて開口するとともに、その第１および第２接続口の少なくともいずれか一方の接続口を介して前記軸部材が前記ボディ本体に組み付けられるように構成されている前項１または２に記載の浴槽用給湯アダプター。
【００１２】
［４］前記第１管用継手は、外部の給湯機から前記ボディに湯水を供給する往き管を接続する往き管用継手として構成され、前記第２管用継手は、前記ボディから湯水を外部の給湯機に戻す戻り管用継手として構成され、前記第３管用継手は、外部からエアーを前記ボディに導入する吸気管用継手として構成されている前項１〜３のいずれか１項に記載の浴槽用給湯アダプター。
【発明の効果】
【００１３】
発明［１］の浴槽用給湯アダプターによれば、外部の配管（外管）を接続するための第１〜第３管用継手を回転自在に取り付けているため、外管の接続方向を所望の方向に設定することができる。このためアダプター組付スペースの大きさや形状に合わせて外管の接続方向を適切に調整できるため、外管を負荷の少ない状態で収まり良く敷設でき、耐久性を向上できるとともに、配管敷設作業、ひいてはアダプター組付作業を簡単に行うことができる。
【００１４】
発明［２］の浴槽用給湯アダプターによれば、第１〜第３管用継手の各回転軸がほぼ一致するようにしているため、例えば往き管用継手および戻り管用継手等の第１および第２管用継手の回転軸に対し、吸気管用継手等の第３管用継手の回転軸がほぼ一致しているため、第３管継手の取付位置（回転軸位置）を前方に配置でき、第３管継手の後方突出量を相対的に少なくすることができる。従ってアダプターの全長を短くできて小型コンパクト化を図ることができる。
【００１５】
発明［３］の浴槽用給湯アダプターによれば、第１〜第３管用継手の各回転軸をほぼ一致させるという構成を確実に実現することができる。
【００１６】
発明［４］の浴槽用給湯アダプターによれば、上記の効果をより確実に得ることができる。
【図面の簡単な説明】
【００１７】
【図１】図１はこの発明の実施形態である浴槽用給湯アダプターを示す側面図である。
【図２】図２は実施形態の給湯アダプターを示す正面図である。
【図３】図３は実施形態の給湯アダプターの槽内突出部を示す下面図である。
【図４】図４は実施形態の給湯アダプターを示す側面断面図である。
【図５】図５は実施形態の給湯アダプターを分解して示す側面断面図である。
【図６】図６は実施形態の浴槽用給湯アダプターのボディにおいてＬ型仕様の形態で示す斜視図である。
【図７】図７は実施形態のボディにおいてＩ型仕様の形態で示す斜視図である。
【図８】図８は実施形態の給湯アダプターのボディを分解して示す側面断面図である。
【図９】図９は実施形態の給湯アダプターのボディ本体を示す正面図である。
【図１０】図１０は実施形態のボディ本体を示す側面断面図である。
【図１１】図１１は実施形態の給湯アダプターにおける吸気管用継手の支持部材を示す図であって、図（ａ）は側面断面図、図（ｂ）は下面図である。
【図１２】図１２は実施形態における給湯アダプターにおける吸気管用継手の軸部材を示す図であって、図（ａ）は側面断面図、図（ｂ）は背面図である。
【発明を実施するための形態】
【００１８】
図１〜図５はこの発明の実施形態である給湯アダプターを示す図である。これらの図に示すように、本実施形態の給湯アダプターは、浴槽の側壁Ｗに設けられた取付孔Ｈに組み付けられる。この給湯アダプターは、室外の給湯機から供給された湯水を浴槽内に供給する湯はり処理、浴槽内の湯水を吸い込んで室外の給湯機に送り、そこで再加熱して高温のお湯を浴槽内に戻す追い焚き処理の他に、浴槽内の湯水に、マイクロバブル（ナノバブルも含む）が混入された湯水であるマイクロバブル水を噴出して浴槽内にマイクロバブルを発生させるバブル発生処理を行うことができる。
【００１９】
本実施形態の給湯アダプターは、浴槽外部から組み付けられるボディ１と、浴槽内部から組み付けられるアダプターヘッド５とを備えている。なお、本明細書においては、給湯アダプターの軸心方向に沿って浴槽に対して内側（図１の左側）を「前側」または「正面側」とし、浴槽に対して外側（図１の右側）を「後側」または「裏面側」として説明する。
【００２０】
図６〜図１０に示すようにボディ１は、ボディ本体２と、略パイプ状の往き管用継手３ａと、略パイプ状の戻り管用継手３ｂと、略パイプ状の吸気管用継手３ｃとを備えている。本実施形態においてはこれらの往き管用継手３ａ、戻り管用継手３ｂおよび吸気管用継手３ｃによって第１〜第３管用継手が構成されている。
【００２１】
ボディ本体２は、前面側が開放され、かつ後面側が閉塞された略円筒形状の外筒部２１と、外筒部２１の内部に外筒部２１と同軸心上に配置される円筒形状の中筒部２２と、中筒部２２の内部に中筒部２２と同軸心上に配置される円筒形状の内筒部２３とを備えている。
【００２２】
ボディ本体２における外筒部２１および中筒部２２間の環状空間は戻り流路Ｂとして構成され、中筒部２２および内筒部２３間の環状空間は往き流路Ａとして構成され、内筒部２３の内部空間はエアー流路Ｃとして構成されている。
【００２３】
ボディ本体２における後端部には、ボディ本体２の軸心に対し直交する方向に開口する円形の往き管用継手接続口２ａが形成されるとともに、その往き管用継手接続口２ａと同軸心に配置され、かつ往き管用継手接続口２ａに対し反対方向に向けて開口する戻り管用継手接続口２ｂが形成されている。往き管用継手接続口２ａは、往き流路Ａに連通接続されるとともに、戻り管用継手接続口２ｂは戻り流路Ｂに連通接続されている。なお本実施形態においては、往き管用継手接続口２ａおよび戻り管用継手接続口２ｂによって第１および第２接続口が構成されている。
【００２４】
またボディ本体２の後端部における往き管用継手接続口２ａおよび戻り管用継手接続口２ｂ間には、中空円筒状の軸部材取付孔２５が形成されている。この軸部材取付孔２５は、軸心が上記往き管用継手接続口２ａおよび戻り管用継手接続口２ｂの軸心に対しやや後方位置にかつ平行に配置されている。さらに軸部材取付孔２５の軸心は、往き管用継手接続口２ａおよび戻り管用継手接続口２ｂの開口領域内に対応して配置されており、換言すると、軸部材取付孔２５の軸心は、両接続口２ａ，２ｂの軸心に対しほぼ一致するように配置されている。
【００２５】
往き管用継手接続口２ａの開口方向を下方向、戻り管用継手接続口２ｂの開口方向を上方向とし、図８および図９の紙面に対し垂直方向を左右方向としたとき、軸部材取付孔２５の上端側には切欠部２６が形成され、この切欠部２６を介して軸部材取付孔２５の上端部は後方から左右方向にかけての半周部が外部に開放されている。さらに軸部材取付孔２５の下端側は開放されており、その下端開口部を介して往き管用継手接続口２ａに連通接続されている。
【００２６】
また軸部材取付孔２５の上下方向の中間部は、連通孔２７を介してエアー流路Ｃに連通接続されている。
【００２７】
図８に示すように往き管用継手３ａは、その基端側に往き管用継手３ａの軸心に対し直交する方向に少量突出する円筒形の接続管部３１ａが設けられている。この接続管部３１ａがボディ本体２の往き管用継手接続口２ａにその接続口２ａの軸心回りに回転自在に取り付けられる。
【００２８】
また戻り管用継手３ｂには、その基端側に戻り管用継手３ｂの軸心に対し直交する方向に少量突出する円筒形の接続管部３１ｂが設けられている。この接続管部３１ｂがボディ本体２の戻り管用継手接続口２ｂにその接続口２ｂの軸心回りに回転自在に取り付けられる。
【００２９】
これにより往き管用継手３ａおよび戻り管用継手３ｂは、往き管用継手接続口２ａおよび戻り管用継手接続口２ｂの各軸心を支点として（基端側を支点として）、図６に示すようにボディ本体２の軸心に対し直角に折れ曲がって先端側が左方または右方に向いた状態（Ｌ型仕様の状態）と、図７に示すようにボディ本体２の軸心に対し平行に配置されて先端側が後方に向いた状態（Ｉ型仕様の状態）との間で回転自在に構成されている。さらに往き管用継手３ａおよび戻り管用継手３ｂは、ボディ本体２に対し任意の回転位置でそれぞれ固定可能に構成されている。なお本実施形態のボディ１においては、往き管用継手３ａの回転軸と戻り管用継手３ｂの回転軸とが一致するように設定されている。
【００３０】
本実施形態においてアダプター組付状態では、図１に示すようにボディ１の往き管用継手３ａには往き管１ａの一端が連結されるとともに、往き管１ａの他端が給湯機の出湯口に連結される。従って給湯機の出湯口から吐出された湯水は往き管１ａを通って往き管用継手３ａから往き流路Ａ内に導入されるようになっている。
【００３１】
さらにアダプター組付状態においてボディ１の戻り管用継手３ｂには戻り管１ｂの一端が連結されるとともに、戻り管１ｂの他端が給湯機の吸込口に連結される．従って追い焚き時等において給湯機の吸込口が負圧に設定されると、ボディ１の戻り流路Ｂ内の湯水が戻り管用継手３ｂおよび戻り管１ｂを通って給湯機に吸い込まれるようになっている。
【００３２】
図８に示すように吸気管用継手３ｃは、基端側の支持部材３１と、中間部のフィルター部材３２と、先端の突出部３３との３つの部分に大別される。各部分３１〜３３は互いに連通する中空パイプ状に形成されており、突出部３３の先端開口部が支持部材３１の内部に連通している。
【００３３】
フィルター部材３２の内部には図示しないエアーフィルターが収容され、エアーがフィルター部材３２内を通過することによって、エアーから異物が除去されるようになっている。
【００３４】
図１１に示すように支持部材３１の基端部側面には、円柱状の凹部３４が形成されている。この凹部３４はその軸心が吸気管用継手３ｃの軸心に対し直角に配置されている。凹部３４の内部は、支持部材３１の内部に連通接続されており、突出部３３の先端開口部から吸い込まれたエアーが凹部３４内に導入されるようになっている。
【００３５】
図５および図８に示すようにこの吸気管用継手３ｃにおける支持部材３１の基端側がボディ本体２の上記切欠部２６内に挿入配置される。この挿入状態においては、支持部材３１における凹部３４の開口部が、ボディ本体２の往き管用継手接続口２ａに対応するように配置されている。
【００３６】
図８および図１２に示すように軸部材４は、ボディ本体２の往き管用継手接続口２ａを介してボディ本体２の軸部材取付孔２５に挿入配置される。さらに軸部材４の挿入側端部が吸気管用継手３ｃの支持部材３１における凹部３４内に挿入配置される。この状態においては、吸気管用継手３ｃの支持部材３１は、軸部材４に対し可動できるようになっており、吸気管用継手３ｃが軸部材４の軸心回りに回転できるように構成されている。これにより吸気管用継手３ｃは、上記往き管用継手３ａおよび戻り管用継手３ｂとほぼ同様に、軸部材４の軸心を支点として（基端側を支点として）、図６に示すようにボディ本体２の軸心に対し直角に折れ曲がって先端側が左方または右方に向いた状態（Ｌ型仕様）と、図７に示すようにボディ本体２の軸心に対し平行に配置されて先端側が後方に向いた状態（Ｉ型仕様）との間で回転自在となるように構成されている。さらに吸気管用継手３ｃは、ボディ本体２に対し任意の回転位置でそれぞれ固定可能に構成されている。
【００３７】
また軸部材４には吸気管用継手３ｃにおける支持部材３１の凹部３４内と、ボディ本体２のエアー流路Ｃに連通する上記連通孔２７とを連通接続する流路孔４１が形成されている。この流路孔４１は、一端開口が軸部材４の挿入側端面に開口し、その挿入側端面から軸部材４の軸心に沿って中間位置まで延びて直角に折れ曲がって、他端開口が軸部材４の外周面におけるボディ本体２の連通孔２７に対応する位置に開口している。これにより吸気管用継手３ｃがどのような回転位置に配置されていようとも、吸気管用継手３ｃの先端開口から吸い込まれたエアーは、吸気管用継手３ｃの内部を通って凹部３４内に導入され、さらにそのエアーが軸部材４の流路孔４１を通ってボディ本体２の連通孔２７からエアー流路Ｃに導入されるようになっている。
【００３８】
なおアダプター組付状態においては図１に示すように吸気管用継手３ｃに吸気管１ｃの一端が連結されるとともに、吸気管１ｃの他端が大気中に開放されている。従ってバブル発生時において後述するようにエアー流路Ｃ内が負圧になると、大気中のエアーが吸気管１ｃ、吸気管用継手３ｃおよび軸部材４を介してエアー流路Ｃ内に導入されるようになっている。
【００３９】
一方図１〜図５に示すようにアダプターヘッド５は、浴槽の側壁Ｗの取付孔Ｈに貫通状態に配置される貫通部６と、貫通部６の前端に設けられ、かつドラム状ないし円盤状の形状を有する槽内突出部７とを備えている。
【００４０】
アダプターヘッド５における貫通部６の外周面には雄ねじが刻設される一方、上記ボディ１における外筒部２１の内周面には雌ねじが刻設されている。そして図１に示すようにボディ１の外筒部２１の前端部が、浴槽外壁面における取付孔Ｈの周縁部に沿うように配置された状態で、アダプターヘッド５の貫通部６が浴槽側壁Ｗの取付孔Ｗを通じて、ボディ１の外筒部２１内にねじ込まれて固定される。これにより槽内突出部７およびボディ１によって、浴槽側壁Ｗにおける取付孔Ｈの周縁部が挟持されて、アダプターヘッド５およびボディ１によって構成される給湯アダプターが浴槽側壁Ｗに組み付けられる。この組付状態においては、アダプターヘッド５の槽内突出部７は浴槽内壁面から内側に突出するように配置されている。
【００４１】
アダプターヘッド５における槽内突出部７の外周面下部両側には吐出口７ａ（図３参照）が形成されるとともに、槽内突出部７の前面側には多数の細孔によって構成される吸込口７ｂ（図２参照）が形成されている。さらに槽内突出部７にはバブル噴出ノズル７１が組み込まれており、このバブル噴出ノズル７１の先端における噴出口７ｃが槽内突出部７の前面に対応して配置されている。
【００４２】
槽内突出部７の吐出口７ａは、追い焚き時や湯はり時等の通常状態（バブル発生時以外の状態）では上記ボディ１の往き流路Ａに連通接続されており、給湯機から往き管１ａおよび往き管用継手３ａを介して往き流路Ａ内に供給された湯水は槽内突出部７の吐出口７ａから浴槽内に吐出されるようになっている。
【００４３】
さらに槽内突出部７の吸込口７ｂは、ボディ１の戻り流路Ｂに連通接続されており、追い焚き時等に吸込口７ｂから吸い込まれた浴槽内の湯水は、戻り流路Ｂ、戻り管用継手３ｂおよび戻り管１ｂを介して給湯機に戻されるようになっている。
【００４４】
また槽内突出部７の噴出口７ｃは、バブル発生時等においてはエアー流路Ｃに連通接続されており、吸気管１ｃ、吸気管用継手３ｃおよび軸部材４を介してエアー流路Ｃ内に導入されたエアーは、後述するように湯水と共に槽内突出部７の噴出口７ｃから浴槽内に噴出されるようになっている。
【００４５】
図２に示すように槽内突出部７の前面における一側上部（左側上部）には切替レバー７２が設けられている。この切替レバー７２は正面視において同図想像線に示すように上端に対応する位置（時計にたとえると１２時の位置）と、同図実線に示すように上端から少し一端側（左側）に変位した位置（１０時の位置）との間で回転操作ないしスライド操作自在に構成されている。同図実線に示すようにこの切替レバー７２を左側の位置（１０時の位置）に移動させた際には、湯はりや追い焚きを行うことができる湯はり／追焚モード（バブル禁止モード）となり、同図想像線に示すように上端の位置（１２時の位置）に移動させた際には、マイクロバブル水を噴出できるバブル発生モードとなり、これらの２つのモードのいずれか一方を選択的に設定できるようになっている。
【００４６】
本実施形態の給湯アダプターにおいて湯はり／追焚モードでは、エアー流路Ｃからバブル噴出ノズル７１へのエアーの供給が禁止されるとともに、往き流路Ａから槽内突出部７の吐出口７ａへの湯水の供給が許容される。またバブル発生モードでは、エアー流路Ｃからバブル噴出ノズル７１へのエアーの供給が許容され、さらに往き流路Ａからの流路が切り替えられて、往き流路Ａからバブル発生ノズル７１へ湯水が供給されるようになっている。つまりバブル発生モードでは、往き流路Ａから湯水槽内突出部７の吐出口７ａへの湯水の供給が禁止されて、往き流路Ａからバブル噴出ノズル７１への湯水の供給が許容されるようになっている。
【００４７】
以上のように構成された給湯アダプターにおいて、湯はり処理をダブル搬送で行う場合には、アダプター前面の切替レバー７２を湯はり／追焚モードに設定し、エアー流路Ｃからバブル噴出ノズル７１へのエアーの供給を禁止し、往き流路Ａの湯水が吐出口７ａへ供給される状態とする。その状態で浴室壁面等に取り付けられた操作パネルを介して給湯機に湯はり指令を与える。これにより給湯機の給湯口および吸込口の双方から湯水が吐出されて、その湯水が往き管１ａおよび戻り管１ｂ、往き流路Ａおよび戻り流路Ｂをそれぞれ介して槽内突出部７の吐出口７ａおよび吸込口７ｂから浴槽内に供給される。こうして２系統で湯水が供給される。
【００４８】
なお給湯機の機種等によっては、シングル搬送で湯はり処理が行われる場合があるが、その場合には、給湯機から戻り管１ｂ側には湯水が供給されず、往き管１ａ側のみに湯水が供給されて、１系統で浴槽内に湯水が供給されることとなる。
【００４９】
追い焚き処理を行う場合には、切替レバー７２を湯はり／追焚モードに設定した状態で給湯機に追焚指令を与える。これにより給湯機の吸込口の吸引作用によって、槽内突出部７の吸込口７ｂから浴槽内の湯水が吸い込まれ、その湯水が戻り流路Ｂおよび戻り管１ｂを介して給湯機に戻される。こうして給湯機に戻された湯水が再加熱されて、給湯機の給湯口から往き管１ａに供給されて、往き流路Ａを通って槽内突出部７の吐出口７ａから浴槽内に供給される。
【００５０】
バブル発生処理を行う場合には、切替レバー７２をバブル発生モードに設定し、エアー流路Ｃのエアーがバブル噴出ノズル７１へエアーが供給される状態とし、往き流路Ａの湯水が吐出口７ａへ供給される状態とする。その状態で給湯機に追焚指令を与える。これにより上記と同様に槽内突出部７の吸込口７ｂから浴槽内の湯水が吸い込まれて給湯機に戻される一方、給湯機の給湯口から吐出された湯水が往き管７ａおよび往き流路Ａを通ってバブル噴出ノズル７１に供給されて浴槽内に噴出される。さらにこの噴出による吸引作用によってエアー流路Ｃが負圧に設定されて、外部のエアーが吸気管１ｃを介してエアー流路Ｃに吸い込まれてそのエアーがバブル噴出ノズル７１に供給される。こうして供給されたエアーが、上記したようにバブル噴出ノズル７１に供給される湯水に混入してマイクロバブル水となり、そのマイクロバブル水がバブル噴出ノズル７１の噴出口７ｃから浴槽内に噴出される。
【００５１】
以上のように構成された本実施形態の給湯アダプターによれば、往き管１ａ、戻り管１ｂ、吸気管１ｃ等の外管を接続するための往き管用継手３ａ、戻り管用継手３ｂおよび吸気管用継手３ｃを回転自在に取り付けて、各継手３ａ〜３ｃの向きを自在に設定できるようにしているため、各外管１ａ〜１ｃの接続方向を任意の方向に自在に調整することができる。このためアダプター組付スペースの大きさや形状に合わせて各外管１ａ〜１ｃの接続方向を適切に調整できるため、各外管１ａ〜１ｃを無理のない状態に敷設することができる。従って各外管１ａ〜１ｃを過度に曲成させて敷設するような不具合を確実に防止でき、各外管１ａ〜１ｃを負荷が少ない状態で収まり良く敷設することができ、耐久性を向上できるとともに、配管敷設作業、ひいてはアダプター組付作業を簡単に行うことができる。
【００５２】
また本実施形態の給湯アダプターにおいては、吸気管用継手３ｃの回転軸（軸部材４の軸心）をボディ本体２の往き管用継手接続口２ａおよび戻り管用継手接続口２ｂの開口領域内に対応して配置しているため、つまり吸気管用継手３ｃの回転軸を往き管用継手３ａおよび戻り管用継手３ｂの回転軸に対しほぼ一致させるようにしているため、吸気管用継手３ｃの突出量を少なくできて、小型コンパクト化を図ることができる。
【００５３】
すなわち吸気管用継手３ｃをボディ本体２にただ単に回転自在に取り付けるような場合、構造の複雑化を回避しようとすると、ボディ本体２に対する吸気管用継手３ｃの取付位置を、ボディ本体２に対する往き管用継手３ａおよび戻り管用継手３ｂの取付位置に重なり合わないように設定するのが好ましい。例えば吸気管用継手３ｃの回転軸の位置を、ボディ本体２の往き管用継手接続口２ａおよび戻り管用継手接続口２ｂに一致しないようにボディ本体２の後端部に配置するのが一般的である。そうするとボディ本体２に対する吸気管用継手３ｃの取付位置（回転軸位置）が相対的に後方に配置されてしまうためその分、吸気管用継手３ｃの後方突出量が多くなり、アダプターの全長が延びて小型コンパクト化を図ることが困難になってしまう。
【００５４】
そこで本実施形態においては、ボディ本体２の軸部材取付孔２５をボディ本体２の往き管用継手接続口２ａの開口領域内に対応するように形成しておき、吸気管用継手３ｃをボディ本体２に回転自在に取り付けるための軸部材４を軸部材取付孔２５に挿入して組み付けるようにしている。これにより既述した通り吸気管用継手３ｃの回転軸を往き管用継手３ａおよび戻り管用継手３ｂの回転軸にほぼ一致させることができ、ボディ本体２に対する吸気管用継手３ｃの取付位置を相対的に前方に配置することができその分、吸気管用継手３ｃの後方突出量を少なくでき、アダプター全体の小型コンパクト化を図ることができる。
【００５５】
また本実施形態においては、吸気管用継手３ｃの軸部材４をボディ本体２に組み付けるに際して、ボディ本体２に形成された往き管用継手接続口２ａを作業孔として、その接続口２ａを介して軸部材４をボディ本体２内に挿入して組み付けるようにしている。このため軸部材４を往き管用継手接続口２ａの開口領域内に確実に配置でき、既述した通り吸気管用継手３ａの回転軸を往き管用継手３ａの回転軸にほぼ一致させるという構成を確実に実現することができる。
【００５６】
なお言うまでもなく本発明においては、戻り管用継手接続口２ｂを介して軸部材４をボディ本体２に組み付けるように構成しても良い。
【００５７】
また上記実施形態においては、ボディ１のエアー流路Ｃをボディ１の軸心（中心）に沿って形成しているため、吸気管用継手３ｃをボディ本体１のほぼ中心部に配置でき、つまり往き管用継手３ａおよび戻り管継手３ｃ間の中間に配置でき、３本の継手３ａ〜３ｃを平行に並べて配置でき、構造の簡素化を図ることができる。
【００５８】
なお上記実施形態においては、アダプター内部にエアー流路Ｃを設けてそのエアー流路Ｃからバブル噴出ノズル７１にエアーを供給するように構成しているが、それだけに限られず、本発明においては、アダプター内部に、噴出口に連通するマイクロバブル水用流路を設けておき、例えば空気が多く溶存した湯水（空気溶存水）を給湯機からマイクロバブル水用流路に供給し、その空気溶存水をマイクロバブル水として噴出口から噴出させるようにしても良い。この場合においても、空気溶存水を供給する外管を接続するための継手を上記の吸気管用継手と同様に回転自在に取り付けることによって、上記と同様の効果を得ることができる。
【００５９】
また上記実施形態においては、ボディ１等のアダプター内部を三重管構造として、内側をエアー流路Ｃ、中間部を往き流路Ａ、外側を戻り流路Ｂとしているが、各流路Ａ〜Ｃの位置は限定されず、どの位置に配置しても良い。例えば往き流路を外側に配置し、戻り流路を中間部に配置するようにしても良い。
【００６０】
さらに上記実施形態においては、アダプター内部を三重管構造として、３つの流路を形成するようにしているが、それだけに限られず、本発明においてはアダプター内部を四重管構造等に形成して第１〜第４の４つ流路を形成しても良い。この場合例えば第１流路を往き流路、第２流路を戻り流路、第３流路をエアー流路、第４流路をバブル水形成用往き流路として、追い焚き時には第２流路（戻り流路）を介して浴槽内の湯水を給湯機に戻す一方、第１流路（往き流路）を介して給湯機から湯水を浴槽内に供給し、またバブル発生時には、第２流路（戻り流路）を介して浴槽内の湯水を給湯機に戻す一方、第３流路（エアー流路）に供給されるエアーを、給湯機から第４流路（バブル水用往き流路）に供給される湯水に混入させてマイクロバブル水を形成し、そのマイクロバブル水を噴出口から浴槽内に噴出させるように構成しても良い。この場合には第１〜第４流路の４つの流路に対応して、アダプターに４本の管用継手が取り付けられるが、本発明においてはこの４本の管用継手を全て回転自在にアダプターのボディに取り付けても良いし、４本の管用継手のうち、エアー流路用の管用継手を含む３本以上の管継手をボディに回転自在に取り付けるようにしても良い。
【００６１】
また上記実施形態では、アダプター組付状態において第１〜第３管用継手３ａ〜３ｃを共に同方向に向けて配置する場合を例に挙げて説明したが、それだけに限られず、本発明においては、第１〜第３管用継手をそれぞれ別々の方向に向けて配置するようにしても良い。例えばアダプターの軸心に対し往き管用継手３ａおよび戻り管用継手３ｂを一方向（例えば左側）に直角に折れ曲がるように配置しておき、吸気管用継手３ｃを他方向（例えば右側）に直角に折れ曲がるように配置したり、または吸気管用継手３ｃをアダプターの軸心に対し平行に配置するようにしても良い。さらにアダプターの軸心に対し往き管用継手３ａおよび戻り管用継手３ｂを平行に配置しておき、吸気管用継手３ｃを直角に折れ曲がるように配置するようにしても良い。また往き管用継手３ａおよび戻り管用継手３ｂを互いに異なる方向に向けて配置するようにしても良い。
【産業上の利用可能性】
【００６２】
この発明の浴槽用給湯アダプターは、例えば一般家屋の浴槽にバブル発生機能付きの給湯用循環金具として採用することができる。
【符号の説明】
【００６３】
１：ボディ
１ａ：往き管（外管）
１ｂ：戻り管（外管）
１ｃ：吸気管（外管）
２：ボディ本体
２ａ：往き管用継手接続口（第１接続口）
２ｂ：戻り管用継手接続口（第２接続口）
３ａ：往き管用継手（第１管用継手）
３ｂ；戻り管用継手（第２管用継手）
３ｃ：吸気管用継手（第３管用継手）
４：軸部材
７：槽内突出部
７ａ：吐出口
７ｂ：吸込口
７ｃ：噴出口
Ａ：往き流路
Ｂ：戻り流路
Ｃ：エアー流路
Ｗ：浴槽側壁
【図１】
0006623049.tif 000002
【図２】
0006623049.tif 000003
【図３】
0006623049.tif 000004
【図４】
0006623049.tif 000005
【図５】
0006623049.tif 000006
【図６】
0006623049.tif 000007
【図７】
0006623049.tif 000008
【図８】
0006623049.tif 000009
【図９】
0006623049.tif 000010
【図１０】
0006623049.tif 000011
【図１１】
0006623049.tif 000012
【図１２】
0006623049.tif 000013